(57)【要約】  情報処理装置（２６０）は、動画コンテンツについて、複数の再生位置を特定する特定手段（２６２）と、特定された複数の再生位置に基づいて、それぞれ再生位置を１以上含み前記動画コンテンツの区間を示す複数のシーンを抽出する抽出手段（２６４）と、抽出されたシーン毎に、優先度を付与する付与手段（２６６）とを備える。
2012160771.tif 000002
【特許請求の範囲】
【請求項１】
動画コンテンツについて、複数の再生位置を特定する特定手段と、
特定された複数の再生位置に基づいて、それぞれ再生位置を１以上含み前記動画コンテンツの区間を示す複数のシーンを抽出する抽出手段と、
抽出されたシーン毎に、優先度を付与する付与手段と、
を備えることを特徴とする情報処理装置。
【請求項２】
前記付与手段は、前記特定された複数の再生位置を解析して、当該複数の再生位置が再生時間軸上においてまばらであるか、当該複数の再生位置が再生時間軸上において集まっているかを判定し、
まばらと判定した再生位置を含むシーンには低い優先度を付与し、
集まっていると判定した再生位置を含むシーンには高い優先度を付与する
ことを特徴とする請求項１に記載の情報処理装置。
【請求項３】
前記付与手段は、
抽出された複数のシーンそれぞれの長さ、及び抽出された複数のシーン同士の再生時間軸上における関係性に基づいて、優先度を付与する
ことを特徴とする請求項１に記載の情報処理装置。
【請求項４】
前記付与手段は、抽出された複数のシーンそれぞれの再生位置の数を解析し、
１シーンあたりの再生位置の数が多いシーンには高い優先度を付与し、
１シーンあたりの再生位置の数が少ないシーンには低い優先度を付与する
ことを特徴とする請求項１に記載の情報処理装置。
【請求項５】
前記抽出手段は、前記再生位置前後の音響の特徴量を解析し、解析した音響の特徴量が類似する区間を示すシーンを抽出する
ことを特徴とする請求項１に記載の情報処理装置。
【請求項６】
さらに、各シーンに付与された優先度に基づいて１以上のシーンの長さを調整し、調整後に、各シーンをつなぎ合わせてハイライト動画を作成する作成手段、
を備えることを特徴とする請求項１に記載の情報処理装置。
【請求項７】
前記作成手段は、抽出された複数のシーンのすべてをつなぎ合わせた場合のハイライト動画の長さが所定範囲内に収まっているかどうかを判定し、
前記所定範囲の上限値より長いと判定したときには、優先度の低いシーンの長さをより短く調整し、
前記所定範囲の下限値よりも短いと判定したときには、優先度の高いシーンの長さをより長く調整する
ことを特徴とする請求項６に記載の情報処理装置。
【請求項８】
動画コンテンツについて、複数の再生位置を特定する特定ステップと、
特定された複数の再生位置に基づいて、それぞれ再生位置を１以上含み前記動画コンテンツの区間を示す複数のシーンを抽出する抽出ステップと、
抽出されたシーン毎に、優先度を付与する付与ステップと、
を含むハイライト動画作成方法。
【請求項９】
動画コンテンツを記憶する情報処理装置に優先度付与処理を実行させるプログラムであって、
前記優先度付与処理は、
動画コンテンツについて、複数の再生位置を特定する特定ステップと、
特定された複数の再生位置に基づいて、それぞれ再生位置を１以上含み前記動画コンテンツの区間を示す複数のシーンを抽出する抽出ステップと、
抽出されたシーン毎に、優先度を付与する付与ステップと、
の各ステップを含むことを特徴とするプログラム。
【請求項１０】
動画コンテンツについて、複数の再生位置を特定する特定手段と、
特定された複数の再生位置に基づいて、それぞれ再生位置を１以上含み前記動画コンテンツの区間を示す複数のシーンを抽出する抽出手段と、
抽出されたシーン毎に、優先度を付与する付与手段と、
を備えることを特徴とする集積回路。
【発明の詳細な説明】
【技術分野】
【０００１】
本発明は、動画コンテンツからハイライト動画の作成を支援する技術に関する。
【背景技術】
【０００２】
従来からユーザの効率的な視聴に供するために、オリジナルとなる動画コンテンツの中から見所となるシーンの抽出を支援する技術がある（例えば、特許文献１〜４参照）。
【先行技術文献】
【特許文献】
【０００３】
【特許文献１】特開２００８−９８７１９号公報
【特許文献２】特開２００７−１３４７７０号公報
【特許文献３】特開２０００−２３５６３７号公報
【特許文献４】特開平６−１６５００９号公報
【発明の概要】
【発明が解決しようとする課題】
【０００４】
ハイライト動画の作成には、元の動画コンテンツから、適切な部分を抽出して行う必要がある。【０００５】
そこで、本発明は、良好なハイライト動画の作成に資することができる情報処理装置を提供することを目的とする。
【課題を解決するための手段】
【０００６】
本発明に係る情報処理装置は、動画コンテンツについて、複数の再生位置の指定をユーザから受け付ける受付手段と、受け付けた複数の再生位置に基づいて、それぞれ再生位置を１以上含み前記動画コンテンツの区間を示す複数のシーンを抽出する抽出手段と、抽出されたシーン毎に、優先度を付与する付与手段と、各シーンに付与された優先度に基づいて１以上のシーンの長さを調整し、調整後に、各シーンをつなぎ合わせてハイライト動画を作成する作成手段と、
を備えることを特徴としている。
【発明の効果】
【０００７】
本発明に係る情報処理装置によれば、良好なハイライト動画の作成に資することができる。
【図面の簡単な説明】
【０００８】
【図１】実施の形態１における情報処理装置の構成を示す図
【図２】マークに関するメタデータのデータ構造を示す図
【図３】ハイライト動画作成の全体動作のフローチャートを示す図
【図４】マーク入力ステップの動作のフローチャートを示す図
【図５】ユーザがマークを入力する場面の一例を示す図
【図６】ハイライトシーン抽出ステップの動作のフローチャートを示す図
【図７】マークからハイライトシーンを抽出する一例を示す図
【図８】ハイライトシーン優先度付与ステップの動作のフローチャートを示す図
【図９】ハイライトシーンの再生区間の長さの観点からの優先度付与の一例を示す図
【図１０】ハイライトシーン内のマークの密度の観点からの優先度付与の一例を示す図
【図１１】ハイライトシーン長調整ステップの動作のフローチャートを示す図
【図１２】優先度の低いハイライトシーンの再生区間の長さを短くした後で、ハイライト動画を作成する一例を示す図
【図１３】実施の形態２における情報処理装置の構成を示す図
【図１４】ハイライトシーン抽出ステップの動作のフローチャートを示す図
【図１５】ハイライトシーン抽出ステップの一例を示す図
【図１６】ハイライトシーン優先度付与ステップの動作のフローチャートを示す図
【図１７】ハイライトシーンの再生区間の長さ、及び１ショット内のハイライトシーンの再生区間の長さの合計値による場合分けを示す図
【図１８】１ショット内の複数のハイライトシーンの関係性を示す図
【図１９】１ショット内のハイライトシーンの再生区間の長さの合計値がＴ１以下の場合の優先度付与を示す図
【図２０】１ショット内のハイライトシーンの再生区間の長さの合計値がＴ２以下の場合の優先度を示す図
【図２１】１ショット内のハイライトシーンの再生区間の長さの合計値がＴ２より大きい場合の優先度を示す図
【図２２】リモコンを用いた優先度の付与の例を示す図
【図２３】実施の形態３における情報処理装置の構成を示す図
【図２４】マーク付与に利用する指標の例を示す図
【図２５】実施の形態４における情報処理装置の構成を示す図
【図２６】情報処理装置の概要構成を示す図
【発明を実施するための形態】
【０００９】
＜本実施形態を想到するに至った経緯＞
本発明者らは、ユーザの指定に基づいて抽出した、あるいは自動的に抽出したシーンをつなぐことによって、ハイライト動画を作成することを検討した。
【００１０】
しかし、抽出したシーンをそのままつないで作成したハイライト動画は、全体の長さが短すぎて内容把握が難しかったり、長すぎて冗長であったりすることがあり、必ずしもユーザが満足するものにならない。
【００１１】
本実施の形態はこのような背景の元になされたものであって、主にハイライト動画の作成のために、前記シーンの長さを最適な長さに調整することを目的とする。
【００１２】
以下、本発明の実施の形態について、図面を参照しながら説明する。
（実施の形態１）
＜情報処理装置の構成＞
図１は、実施の形態１に係る情報処理装置１０の構成を示す図である
情報処理装置１０は、ユーザ入力受付部１２、ハイライトシーン抽出部１４、優先度付与部１６、ハイライト動画作成部１８（長さ調整部２０を含む）、記憶部２２、管理部２４、デコード部２６、表示制御部２８を備える。
【００１３】
ユーザ入力受付部１２は、リモコン２を介してユーザの入力を受け付ける機能を有する。
【００１４】
リモコン２は、動画の再生など（再生開始、再生停止、スキップ、早送り、巻き戻しなど）を指示するための複数のボタン、及びユーザがハイライト動画として希望するシーンを指定するためのボタンを含む。
【００１５】
ユーザが前記シーンを指定する方法としては、前記シーンの始点及び終点を手動で指定しても良いし、前記シーンの一部分を指定しても良い。
【００１６】
本実施の形態では、ユーザが後者の指定を行うとして説明する。具体的には、ユーザは面白いと感じた時に前記ハイライト動画として希望するシーンを指定するためのボタンを押下して「マーク」を入力する。ここでマークは、ユーザが面白いと感じた動画、及びその再生位置を識別するための情報から構成される。
【００１７】
このようなマークは、前述のように、ユーザが指定したものであってもよく、情報処理装置１０またはその他の機器が、動画を解析することにより自動的に指定したものであってもよい。実施の形態１では、マークはユーザが指定したものである場合を例として説明する。
【００１８】
リモコン２においてボタンが押下されると、リモコン２はユーザ入力受付部１２へとユーザの指示内容を示す情報を送信する。
【００１９】
ユーザ入力受付部１２は、受信した情報に示される指示内容をユーザの入力として受け付ける。
【００２０】
ハイライトシーン抽出部１４は、前記マークに基づいて記憶部２２に記憶された動画コンテンツの中から、ハイライトシーンを抽出する。このハイライトシーンとは、ユーザが好む場面あるいは好むであろうと推測される場面のことである。
【００２１】
優先度付与部１６は、必要に応じてハイライトシーン抽出部１４により抽出されたハイライトシーン毎に優先度を付与する。
【００２２】
ハイライト動画作成部１８は、抽出したハイライトシーンをつなぎ合わせてハイライト動画を作成する。
【００２３】
長さ調整部２０は、ハイライトシーンをつなぎ合わせて作成したハイライト動画の長さが最適かどうかの判定を行い、最適でないときには、ハイライトシーン抽出部１４に長さを変えたハイライトシーンの再抽出処理を依頼することで、ハイライト動画の長さを調整する。
【００２４】
これらハイライトシーンの抽出、優先度付与及びハイライト動画作成の詳細については後述する。
【００２５】
記憶部２２は、例えば、ＨＤＤ（Ｈａｒｄ  Ｄｉｓｋ  Ｄｒｉｖｅ）などから構成されており、動画コンテンツ及びメタデータを記憶する。
【００２６】
この動画コンテンツとしては、ハイライトシーンの抽出対象として一定の長さを有するものであれば足り、特に限定されない。本実施の形態では、動画コンテンツの例として、ユーザ自身が撮影することにより作成したユーザ作成コンテンツであるとして説明する。なぜなら、このようなユーザ作成コンテンツは、冗長なシーンが入りがちなのでハイライト動画を作成したいというユーザの要望が多いためである。
【００２７】
また、記憶部２２が記憶するメタデータの内容の一例は図２の通りである。
【００２８】
図２のメタデータの構造を示すテーブル２３は、「動画コンテンツＩＤ」２３ａ、「ショットＩＤ」２３ｂ、「マークＩＤ」２３ｃ、「マークの再生位置（秒）」２３ｄの項目を含む。
【００２９】
「動画コンテンツＩＤ」２３ａは、記憶部２２が記憶している動画コンテンツを一意に識別するための識別子である。
【００３０】
「ショットＩＤ」２３ｂは、「動画コンテンツＩＤ」２３ａに示される動画コンテンツに対応する１以上のショットを識別するための識別子である。ここで「ショット」とは、ユーザ動画の撮影時において、１回の撮影開始から撮影終了までの単位である。
【００３１】
「マークＩＤ」２３ｃは、マークを識別するための識別子である。
【００３２】
「マークの再生位置（秒）」２３ｄは、マークＩＤに対応する再生位置を示す。なお、この情報としては再生位置を示す情報であれば足り、例えば、秒数に代えて動画のフレームＩＤを用いてもよい。
【００３３】
管理部２４は、動画コンテンツの再生及びメタデータに関する管理を担う機能を有する。
【００３４】
具体的には、ユーザ入力受付部１２が動画の再生指示を受け付けると、この指示に基づいて管理部２４は、記憶部２２に記憶された動画コンテンツをデコード部２６にデコードさせる。そして、管理部２４は、表示制御部２８を介してディスプレイ４上にデコードされた動画コンテンツを表示する。
【００３５】
また、管理部２４は、動画コンテンツの再生中に、ユーザ入力受付部１２がユーザからのマークの入力を受け付けると、マークの受け付け時に再生中の動画コンテンツの動画コンテンツＩＤやその再生位置などをメタデータとして記憶部２２に記憶させる。
【００３６】
なお、図２で示したメタデータの内容は一例に過ぎず、これに限られない。例えば、動画コンテンツに対するショットの帰属管理を、別途プレイリスト等で行う場合も考えられる。
＜ハイライト動画作成の全体動作＞
次に、実施の形態１における情報処理装置１０のハイライト動画作成の全体動作について図３を用いて説明する。
【００３７】
情報処理装置１０においては、まず、マーク入力ステップ（Ｓ３１０）の処理を行う。
【００３８】
続いて、情報処理装置１０は、上記ユーザから入力を受け付けたマークの再生位置を基にハイライトシーンを抽出するハイライトシーン抽出ステップ（Ｓ３２０）を実行する。
【００３９】
そして、前記ハイライトシーン抽出ステップ（Ｓ３２０）で抽出したハイライトシーンをつないだハイライト動画の長さが最適かどうかを判定するステップ（Ｓ３３０）の処理を行う。
【００４０】
ハイライト動画の長さが最適でないと判定した場合（Ｓ３３０：Ｎｏ）には、上記ステップＳ３２０で抽出したハイライトシーン毎に優先度を付与するハイライトシーン優先度付与ステップ（Ｓ３４０）と、付与した優先度に基づいてハイライトシーンの再生区間の長さを調整するハイライトシーン長調整ステップ（Ｓ３５０）を実行する。
【００４１】
なお、ステップＳ３３０のハイライト動画の長さが最適な状態とは、例えば、ステップＳ３２０で抽出されたハイライトシーンをそのままつないだハイライト動画の長さが、所定の下限値から上限値の間（例えば、５分から１５分の間）に収まっている状態である。
＜マーク入力ステップ＞
まず、マーク入力ステップ（Ｓ３１０）の詳細について図４を用いて説明する。
【００４２】
まず、管理部２４により動画コンテンツの再生が開始されると、ユーザ入力受付部１２は、ユーザによるマークの入力の受け付けを開始して（Ｓ４１０）、その入力を待つ（Ｓ４２０：Ｎｏ）。
【００４３】
ユーザ入力受付部１２が、マークの入力を受け付けると（Ｓ４２０：Ｙｅｓ）、受け付けたマークを構成する情報を記憶部２２にメタデータとして格納する（Ｓ４３０）。図２の例の場合、この受け付けたマークを構成する情報は、動画コンテンツＩＤ、ショットＩＤ、マークＩＤ、及びマークの再生位置を含む。
【００４４】
なお、メタデータとして格納すべきマークの再生位置については、マークの受け付け時点でデコード部２６がデコード中のフレームに対応する再生位置でもよいし、マークの受け付け時点で管理部２４が読み出し中のフレームに対応する再生位置でもよい。
【００４５】
このステップＳ４２０〜Ｓ４３０の処理は、ユーザ入力受付部１２が、動画コンテンツの再生の停止を受け付けるか（Ｓ４４０）、動画コンテンツが終端まで再生されて完了するまで（Ｓ４５０）、繰り返される。
【００４６】
図５に、ユーザがマークを入力する場面の一例を示す。
【００４７】
この図５の例では、ユーザは自身が撮影した娘が通う幼稚園のお遊戯会の動画コンテンツを視聴している。ユーザは娘を見たいと考えているため、娘が活躍したときに、リモコン２のハイライトボタンを押下している。
＜ハイライトシーン抽出ステップ＞
次に、ハイライトシーン抽出ステップ（Ｓ３２０）について図６を用いて詳述する。
【００４８】
上記マーク入力ステップ（Ｓ３１０）が完了すると、管理部２４は、ハイライトシーン抽出部１４に対して当該マーク入力ステップが完了した旨を通知する。
【００４９】
これを受信したハイライトシーン抽出部１４は、記憶部２２に格納されているメタデータのうち、完了直前に再生していた動画コンテンツに関連付けられたマークを取得する（Ｓ６１０）。
【００５０】
例えば、メタデータの内容が図２の例のような構成であり、完了直前に再生していた動画コンテンツのＩＤが０ならば、図２の表の上から３行分のメタデータを取得する。
【００５１】
次に、ハイライトシーン抽出部１４は、まだ対応するハイライトシーンを抽出していないマークそれぞれについて、マークの再生位置前後の再生区間をハイライトシーンとして抽出する（Ｓ６２０）。
【００５２】
ステップＳ６２０の抽出方法としてはいくつかの手法が考えられる。例えば、マークを利用して固定長のシーンをハイライトシーンとして抽出する方法が考えられる。
【００５３】
本方法では、マークの再生位置の前後の再生区間を設定された固定長分だけハイライトシーンとして抽出する。また、前記手法では、複数のマーク間の再生位置の差が前記固定長より小さい場合、前記複数のマークから抽出したハイライトシーン同士が重なる。この場合、最初のマークから固定長分遡った時点から、最後のマークの再生位置から固定長分後の時点までの再生区間をハイライトシーンとして抽出する。
【００５４】
図７に前記固定長を５秒とした場合の前記手法の一例を示す。図７（ａ）では、マークの再生位置が２１秒であるため、その前後５秒の再生区間である１６秒から２６秒までをハイライトシーンとして抽出する。また、図７（ｂ）では、最初のマークの再生位置（２１秒）から５秒遡った１６秒を始点とし、次のマークの再生位置（２３秒）から５秒後の時点の２８秒を終点とするような再生区間をハイライトシーンとして抽出する。
【００５５】
なお、図７で固定長として設定した５秒は一例でありこれに限られない。また、ハイライトシーンの抽出方法は前記固定長を抽出するような手法に限らず、マークの再生位置が含まれるようなハイライトシーンの抽出方法であればどのような方法を用いても良い。
【００５６】
例えば、マークの再生位置の前後の再生区間の各フレームの画像特徴量を計算して比較し、マークの再生位置の前後の再生区間のそれぞれで画像特徴量の差分が閾値以上になるようなフレームをハイライトシーンの切れ目とするようにハイライトシーンを抽出する特許文献３などで開示されている方法を用いても良い。
【００５７】
また、マークの再生位置の前後のフレームを音響の観点から細分化してそれぞれ音環境に関する特徴量とその平均値を導出し、特徴量と平均値との差分が閾値以上になるようなフレームをシーンの切れ目とするようなシーンを抽出する方法を用いても良い。
【００５８】
さらに、マークの再生位置の前後の再生区間のフレームを撮影した際のユーザの撮影機器の操作内容がある特定の操作内容であった場合、その特定の操作を行ったフレームをハイライトシーンの切れ目とするようなハイライトシーンを抽出する特許文献４などで開示されている方法を用いても良い。
【００５９】
また、ハイライトシーンの抽出方法は、上に列挙した方法に限定されるものでもない。
＜ハイライトシーン優先度付与ステップ＞
次に、ハイライトシーン優先度付与ステップ（Ｓ３４０）について図８を用いて説明する。
【００６０】
まず優先度付与部１６は、「ハイライトシーンの再生区間の長さ」の観点から、優先度を付与する（Ｓ８１０）。
【００６１】
ここでユーザは面白いと思ったシーンを凝縮したハイライト動画を望むため、ハイライトシーンの再生区間の長さが長すぎず「面白いと分かる程度に長い」ことが必要である。そこで、明らかに短すぎる、及び長すぎるシーンの優先度を下げる。
【００６２】
具体的には、ハイライトシーンの再生区間の長さに次の２種類の指標Ｔ１、Ｔ２（Ｔ１＜Ｔ２）を導入し、ハイライトシーンの再生区間の長さがＴ１より短い、あるいはＴ２より長い場合は優先度を最低とする。なお、この手法は一例でありこれに限られない。
【００６３】
ここで、「Ｔ１」とは面白いと分かる程度の最短の長さである。また、「Ｔ２」とは飽きないで楽しめる程度の最長の長さである。
【００６４】
図９は、ハイライトシーンの再生区間の長さによる優先度付与の一例を示す図である。ここでは、ショット２の２つ目のマークから抽出されたハイライトシーンの再生区間の長さがＴ１より小さいため、優先度が最低と判定されている。また、ショット３から抽出されたハイライトシーンの再生区間の長さがＴ２より大きいため、同様に優先度が最低と判定されている。
【００６５】
次に、優先度付与部１６は、ステップＳ８１０で長さがＴ１以上且つＴ２以下であったハイライトシーンについて、「ハイライトシーン内のマークの密度」の観点から優先度を付与する（Ｓ８２０）。
【００６６】
この「ハイライトシーン内のマークの密度」に基づいた優先度の付与の一例を詳述する。ここでマークの密度とは、１ハイライトシーンあたりのマークの数とする。
【００６７】
「複数の見所が集まったハイライトシーン」は少し長くても連続して見ることで面白さが増す。そこで、１つのハイライトシーン内のマークの密度が高いハイライトシーンの優先度を上げる。つまり、優先度付与部１６は、１ハイライトシーンあたりのマークの数が多いならば優先度を上げ、１ハイライトシーンあたりのマークの数が少ないならば優先度を下げるのである。
【００６８】
図１０は、ハイライトシーン内のマークの密度による優先度付与の一例を示す図である。ここでは、ショット２から抽出された右側のハイライトシーンのマークの密度が高いため、最も高い優先度１と判定されている。次に、ショット１から抽出されたハイライトシーンのマークの密度が中程度であるため、優先度２と判定されている。次に、ショット２から抽出された左側のハイライトシーンのマークの密度が低いため、優先度３と判定されている。最後に、ショット３から抽出されたハイライトシーンのマークの密度が最低であるため、優先度４と判定されている。なお、マークの密度として、ハイライトシーンごとの単位時間辺りのマーク数を用いても良い。
【００６９】
最後に、優先度付与部１６は、ステップＳ８１０とステップＳ８２０の結果、同一の優先度となったハイライトシーン同士を比較・分析して詳細な優先度を付与する（Ｓ８３０）。詳細な優先度を付与する方法としては、例えば次のような方法が考えられる。
・特定の画像が含まれるハイライトシーンの優先度を高くする（例：子供の顔画像が含まれているハイライトシーン）
・特定の音響が含まれるハイライトシーンの優先度を高くする（例：子供の歌が含まれているハイライトシーン）
・撮影時に特定の操作を行っているハイライトシーンの優先度を高くする（例：ズームした直後のハイライトシーン）
・撮影に失敗していると想定されるハイライトシーンの優先度を低くする（例：手ぶれがひどいハイライトシーン）
・特定のメタデータを含むハイライトシーンの優先度を高くする（例：同一シーンの静止画を撮影しているハイライトシーン）
このような詳細な優先度を付与する方法により、ハイライトシーンに対してユーザの主観を反映した優先度を付与することが可能となる。
【００７０】
また、上記ハイライトシーンに詳細な優先度を付与する方法の全て、あるいはそれらの内の複数の方法を選択してハイライトシーンに得点を付け、その得点に基づいて優先度を付与しても良い。さらに、ステップＳ３３０でハイライト動画の長さを確認する際に事前に設定された時間よりも長すぎるのか、それとも短すぎるのかを合わせて確認しておいて、それぞれの場合に異なる方法で優先度を付与しても良い。
＜ハイライトシーン長調整ステップ＞
最後に、ハイライトシーン長調整ステップ（Ｓ３５０）について図１１を用いて詳述する。
【００７１】
優先度付与部１６は、ステップＳ３４０が完了するとハイライトシーン動画作成部１８にその旨を通知する。これを受信したハイライト動画作成部１８の長さ調整部２０は、ハイライト動画の長さが設定時間よりも長いかどうかを確認する（Ｓ１１１０）。
【００７２】
ハイライト動画の長さが設定時間よりも長かった場合（Ｓ１１１０：Ｙｅｓ）、長さ調整部２０は、ハイライトシーン抽出部１４にハイライトシーンの長さをより短くするようハイライトシーンの再抽出処理を依頼する。
【００７３】
依頼を受けたハイライトシーン抽出部１４は、その時点で抽出されている全てのハイライトシーンの中から長さの調整を行っていないハイライトシーンを抽出し、その内、優先度が最も低いハイライトシーンの再生区間の長さを短くする（Ｓ１１２０）。
【００７４】
このような再抽出依頼に基づいてハイライトシーンの再生区間の長さを短くする方法としては、ハイライトシーン抽出部１４が、最初の抽出処理（Ｓ３２０）で用いたアルゴリズムを利用してハイライトシーンの再生区間がより短くなるようパラメータを変更して再抽出を行う手法がある。
【００７５】
例えば、最初の抽出処理（Ｓ３２０）で、前記マークの再生位置の前後の再生区間を設定された固定長分だけハイライトシーンとして抽出する方法を用いた場合、固定長を最初の抽出時よりも短くすることが考えられる。具体的には、図７で５秒に設定されている固定長を３秒へと短く設定する。
【００７６】
また、最初の抽出処理（Ｓ３２０）で、前記画像特徴量や音環境の特徴量を分析するような方法を用いた場合、画像間の各特徴量の差分を比較する閾値などのパラメータを調整し、上記最初の抽出処理（Ｓ３２０）で抽出したハイライトシーンよりも短くなるように、マークの再生位置の前後の再生区間をハイライトシーンとして抽出することが考えられる。
【００７７】
さらに、最初の抽出処理（Ｓ３２０）で、前記撮影機器の操作内容を分析するような方法を用いた場合マークの再生位置に近い方のシーンの切れ目をそのままハイライトシーンの始点として採用し、マークの再生位置の部分を含み且つステップＳ３２０で抽出したハイライトシーンよりも短くなるようにハイライトシーンの終点を設定することが考えられる。
【００７８】
なお、再抽出依頼に基づいて、ハイライトシーンの再生区間の長さを短くする方法として最初の抽出処理（Ｓ３２０）で用いたアルゴリズムとは異なる方法を利用してもよい。また、前記ハイライトシーンの再生区間の長さを短くする方法は、これらに限定されるものでもない。
【００７９】
さらに、ステップＳ１１２０では、付与された優先度が最低のハイライトシーンのうち、ハイライトシーンの再生区間の長さがＴ１よりも短いような短すぎるハイライトシーンを調整対象から除外する、あるいはハイライトシーンの再生区間の長さを長くするようにしても良い。
【００８０】
次に、ステップＳ１１２０で１つのハイライトシーンを短くする処理が完了すると、ハイライト動画作成部１８は、ハイライト動画全体の長さと設定時間の差分が予め設定された閾値以内であるかどうかを確認する（Ｓ１１３０）。閾値以内であればハイライトシーン長調整ステップを完了する。一方、閾値以上であれば、ステップＳ１１２０に戻り、長さ調整部２０は、ハイライトシーン抽出部１４にハイライトシーンの長さをより短くするようハイライトシーンの再抽出処理を依頼する。依頼を受けたハイライトシーン抽出部１４は、その時点で抽出されている全てのハイライトシーンの中から、 長さの調整を行っていないハイライトシーンを抽出し、その内、優先度が最も低いハイライトシーンの再生区間の長さを短くする。
【００８１】
一方、ステップＳ１１１０の比較で設定時間よりも短かった場合、長さ調整部２０は、ハイライトシーン抽出部１４にハイライトシーンの長さをより長くするようハイライトシーンの再抽出処理を依頼する。まず、依頼を受けたハイライトシーン抽出部１４は、長さの調整を行っていないハイライトシーンのうち、優先度が最も高いシーンの再生区間の長さを長くする（Ｓ１１４０）。ハイライトシーンの再生区間の長さを長くする方法は、ステップＳ１１２０のハイライトシーンを短くする方法と同様に、ハイライトシーン抽出ステップ（Ｓ３２０）でハイライトシーンを抽出する方法と同様の方法を用いても良いし、異なる方法を用いても良い。
【００８２】
なお、ステップＳ１１４０では、付与された優先度が最低のハイライトシーンのうち、ハイライトシーンの再生区間の長さがＴ２よりも長いハイライトシーンを調整対象から除外する、あるいはハイライトシーンの再生区間の長さを短くするようにしても良い。
【００８３】
１つのハイライトシーンを短くすると、長さ調整部２０は、ハイライト動画の長さと設定時間の差分が予め設定された閾値以内であるかどうかを確認する（Ｓ１１５０）。閾値以内であれば（Ｓ１１５０：Ｙｅｓ）ハイライトシーン長調整ステップを完了する。一方、閾値以上であれば（Ｓ１１５０：Ｎｏ）、ステップＳ１１４０に戻り、次に優先度の高いハイライトシーンの再生区間の長さを長くする。
【００８４】
以上説明したように、本実施の形態によれば、ハイライトシーンに付与された優先度に基づいて、ハイライトシーンの再生区間の長さを調整することで、予め設定された時間に合わせ、ユーザの好みに応じたハイライト動画の作成を実現できる。
【００８５】
例えば、図１２に示すように、ハイライトシーンとして抽出されたシーン１〜シーン３をそのままつないだハイライト動画では予め設定された時間を超過するような場合であったとしても、優先度が低い（ユーザにとって重要度が低いと推定される）シーン１、シーン２の長さを短縮することで、ハイライト動画の長さを設定時間内に収めることができる。
【００８６】
本実施の形態によれば、ユーザは簡単に自己の好みに沿ったハイライト動画を作成することができるので、コンテンツの死蔵の防止にもつなげることができる。
（実施の形態２）
本実施の形態は、実施の形態１を応用したものであり、ハイライトシーン抽出に音響の解析手法を利用する点、及び優先度の付与にシーン同士の関係性を考慮する点などが実施の形態１と異なっている。実施の形態１と同様な点については、説明を省略する。
【００８７】
図１３の情報処理装置１１は、特に、ハイライトシーン抽出部１４ａが音響安定度解析部１５を有する点が図１と異なっている。
【００８８】
音響安定度解析部１５は、動画コンテンツの音響安定度を分析する機能を有する。
＜ハイライトシーン抽出ステップ＞
次に、実施の形態２におけるハイライトシーン抽出の方法について図１４を用いて説明する。
【００８９】
ハイライトシーン抽出部１４ａは、マークの再生位置の前後合わせてｎ秒の区間を抽出して音響安定度解析部１５に音響安定度の解析を依頼する。
【００９０】
音響安定度解析部１５は、ｎ秒の区間を最小区間ａ（ａは正の任意の数）秒ごとの更に詳細な区間に分割する（Ｓ１４１０）。
【００９１】
ここで、あるマークの再生位置に対応するハイライトシーンの抽出が初めてであった場合、ｎは予め定められた最小値とし、そうでなかった場合、ｎは後述するステップＳ１４６０で指定された値とする。また、最小区間ａ秒は、情報処理装置１１に予め設定されている値としてもよいし、ユーザにより設定される値としてもよいし、その他の条件から動的に変更される値としてもよい。
【００９２】
次に、音響安定度解析部１５は、分割した各区間の音響特徴量と、全区間の音響特徴量の平均値を導出する（Ｓ１４２０）。
【００９３】
続いて、ハイライトシーン抽出部１４ａは、その内部の音響安定度解析部１５がステップＳ１４２０で導出した結果を基に、前記平均値と各区間の音響特徴量との差分をそれぞれ導出する（Ｓ１４３０）。
【００９４】
次に、導出した差分のいずれかが、予め設定された閾値よりも大きいかどうかを確認する（Ｓ１４４０）。もし、大きい場合はｎ＝ｎ＋ａとして、ステップＳ１４１０の処理から繰り返す（Ｓ１４６０）。もし、大きい場合は、マークの前後ｎ−ａ秒の区間をシーンとして抽出する（Ｓ１４５０）。
【００９５】
抽出したハイライトシーン内の音響の特徴量は変化量が少なく、音響安定度が高いと言える。一般的には、音響安定度の変化とシーン内の状況の変化が相関している場合が多いため、本方法によってユーザにとって意味のあるシーンが抽出できる。
【００９６】
図１５に、ハイライトシーン抽出ステップの一例を示す。
【００９７】
図１５の例では、ｎ＝１０、ａ＝２であり、マークの再生位置の前後１０秒の区間を、２秒ごとの詳細な区間に分割している。そして、各詳細な区間ごとに音響の特徴量ｆ１〜ｆ５と、音響の特徴量の平均値ｆave＝（ｆ１＋ｆ２＋ｆ３＋ｆ４＋ｆ５）／５とを求めている。
【００９８】
さらに、音響の特徴量ｆ１〜ｆ５と平均値ｆaveとの各差分を、予め設定された閾値ｆthと比較し、各差分のいずれかが閾値ｆthよりも大きくはなかったので（Ｓ１４４０：Ｎｏ）、抽出する区間を１０秒から１２秒へと変更していることを示している。前記閾値ｆthは予め設定されている値としたが、これに限らずユーザにより設定される値としてもよいし、その他の条件から動的に変更される値としてもよい。
【００９９】
なお、図１４に示した処理は一例であり、再生位置前後の音響の特徴量を解析し、解析した音響の特徴量が類似する区間をシーンとして抽出できる手法であればこれに限られない。
＜ハイライトシーン優先度付与ステップ＞
実施の形態２のハイライトシーン優先度付与ステップ（Ｓ３４０）について図１６を用いて説明する。
【０１００】
優先度付与部１６は、抽出されたハイライトシーンに対して「ハイライトシーンの再生区間の長さ」と、「１ショット内のハイライトシーンの再生区間の長さの合計値」と、「１ショット内のハイライトシーン同士の関係性」の観点から優先度を付与する（Ｓ１６１０）。
【０１０１】
ステップＳ１６１０の優先度を付与する方法の一例を示す。まず、「ハイライトシーンの再生区間の長さ」に基づいた優先度付与方法について詳述する。ユーザは面白いと思ったシーンを凝縮したハイライト動画を望むため、ハイライトシーンの再生区間の長さが長すぎず「面白いと分かる程度に長い」ことが必要である。そこで、明らかに短すぎる、及び長すぎるシーンの優先度を下げるべきである。そこで、ハイライトシーンの再生区間の長さに次の２種類の指標Ｔ１、Ｔ２を導入する。Ｔ１とは、「面白いと分かる程度のハイライトシーンの再生区間の最短の長さ」である。また、Ｔ２とは、「飽きないで楽しめるハイライトシーンの再生区間の最長の長さ」である。これら２種類の指標に基づいた場合に分けてハイライトシーンの優先度を付与する。まず、「ハイライトシーンの再生区間の長さ」に基づいた優先度付与方法を説明する。図１７（ａ）に示すように、ハイライトシーンの再生区間の長さｔがｔ＜Ｔ１となる場合、ハイライトシーンの再生区間の長さが短すぎるため優先度を下げるようにする。Ｔ１≦ｔ≦Ｔ２となる場合、ハイライトシーンの再生区間の長さが最適であるため優先度を上げるようにする。ｔ＞Ｔ２となる場合、ハイライトシーンの再生区間の長さが長すぎるため優先度を下げるようにする。
【０１０２】
次に、「１ショット内のハイライトシーンの再生区間の長さの合計値」に基づいた優先度付与方法を説明する。「複数の見所が集まった抽出シーン」は少し長くても連続して見ることで面白さが増す。そこで、１ショット内の関係性の高い複数のハイライトシーンの再生区間の長さの合計値に対してもＴ１とＴ２の指標に基づいた場合に分けて優先度を付与する。図１７（ｂ）は、１ショット内のハイライトシーンの再生区間の長さの合計値Ｔに基づいた場合分けを示す図である。まず、１ショット内のハイライトシーンの再生区間の長さの合計値ＴがＴ＜Ｔ１となる場合、短すぎるために優先度を下げるようにする。Ｔ１≦Ｔ≦Ｔ２となる場合、長さが最適であるため優先度を上げるようにする。Ｔ＞Ｔ２となる場合、長すぎるため優先度を下げるようにする。
【０１０３】
次に、「１ショット内のハイライトシーン同士の関係性」について詳述する。一般的にユーザは１つのショットを１つのまとまりとして撮影を行う。このため、１つのショットから抽出される複数のシーンは互いに関係性が高い場合が多い。そこで、これらの関係性を考慮して場合分けを行う。図１８は、１ショット内の複数のハイライトシーンの関係性を示す図である。
【０１０４】
なお、図１８の例は一例に過ぎずこれに限られない。
【０１０５】
このような、ハイライトシーンの再生区間の長さとその合計値、及び１ショット内のハイライトシーンの関係性を総合的に考慮して優先度付与部１６はハイライトシーンに優先度を設定する。図１９〜図２１は、優先度付与部１６が上記した判断要素に基づいてハイライトシーンに優先度を設定する方法を示す図である。  なお、図１９〜図２１の例は一例に過ぎずこれに限られない。
【０１０６】
優先度付与部１６は、まず、１ショット内のハイライトシーンの再生区間の長さの合計値Ｔを確認し、その後、ハイライトシーンの再生区間の長さと関係性を確認する。
【０１０７】
図１９に示しているような、Ｔ≒Ｔ１で且つｔ≒Ｔ１の場合、ハイライトシーンの再生区間の長さの合計値、及びその１つ１つのシーンの長さが最適なハイライトシーンの再生区間の長さの下限付近であるため、優先度を最高に設定し、基本的にはこのままハイライトシーンとして抽出する。
【０１０８】
次に、図２０に示しているような、Ｔ≒Ｔ２の場合、ハイライトシーンの再生区間の長さとその関係性によって優先度を変更する。例えば、関係性が不規則となっている場合、各ハイライトシーン同士の関係性は濃いとも薄いとも言えないと判断し、優先度を中程度とする。また、ｔ≒Ｔ２で且つハイライトシーン同士が独立している場合、各シーンの関係性が薄く、且つハイライトシーンを縮める余地が大きいと判断し、優先度を低く設定する。その他の場合はハイライトシーンが最適である、あるいはこれ以上長さを縮める余地が少ないと判断して優先度を高く設定する。
【０１０９】
次に、図２１に示しているようなＴ＞Ｔ２の場合、長すぎると判定して基本的に優先度を低めに設定する。ただし、ハイライトシーン同士の関係性が「連結」だったり「一部重複」である場合、「複数の見所が集まった抽出シーン」である可能性がその他の場合よりも高いため、優先度を中程度と設定する。
【０１１０】
最後に、情報処理装置１１は、ステップＳ１６１０で同一の優先度となったハイライトシーン同士を比較・分析して詳細な優先度を付与する（Ｓ８３０）。なお、ステップＳ８３０は実施の形態１のステップＳ８３０と同様であるため、説明を省略する。
【０１１１】
このように実施の形態２における優先度付与方法によれば、ハイライトシーンの長さ、及びハイライトシーン同士の関係性に基づいて、より柔軟に適切な優先度を付与することができる。このため、例えば、ハイライトシーンを短く調整することになったとしても、ユーザが大事と考えるであろうシーンについてはなるべく短縮の対象とならないようにすることができる。
＜ハイライトシーン長調整ステップ＞
ハイライトシーン毎に付与された優先度に基づいて長さを調整する処理である。この処理については、実施の形態１（図１１）と同様であるので説明を省略する。
（実施の形態３）
実施の形態１では、ユーザによるリモコン２の入力操作に基づいて、動画にマークを対応付けるとしていたがこれに限られない。本実施の形態３は、動画にマークを付与する他の手法について紹介する。
【０１１２】
図２３の情報処理装置２３０は、特に、ユーザ入力受付部１２ａや、マーク付与部１７を含むハイライトシーン抽出部１４ｂを備える。それ以外の機能ブロックは、図１と基本的には同様であるので説明を省略する。
【０１１３】
ユーザ入力受付部１２ａは、動画の再生指示は受け付けるが、実施の形態１とは異なりマーク付与のための入力操作は受け付けなくてもよい。
【０１１４】
マーク付与部１７がマーク付与する時機は、特に限定されないが、例えば、ハイライトシーン抽出部１４ｂによるハイライトシーン抽出処理の開始を契機として行われることが考えられる。
【０１１５】
ハイライトシーン抽出部１４ｂは、マーク付与部１７が付与したマークの再生位置に基づいて、動画コンテンツの中からハイライトシーンを抽出する。ハイライトシーン抽出部１４ｂがハイライトシーンを抽出する時機は、例えば、次の（Ａ）（Ｂ）の時機が考えられる。
【０１１６】
（Ａ）記憶部２２内に動画コンテンツが取り込まれたとき
（Ｂ）ハイライト動画再生をユーザから指示されたとき
ハイライトシーン抽出部１４ｂは、マーク付与部１７が付与したマークの再生位置に基づいて、動画コンテンツの中からハイライトシーンを抽出する。
【０１１７】
両ブロックの関係について具体的に説明すると、マーク付与部１７は、１つの指標あるいは複数の指標の組み合わせに基づいて動画コンテンツにマークを付与する。付与後、付与したマークの再生位置を含むメタデータを記憶部２２に記憶させる。このメタデータの構造は図２と同様であるので説明を省略する。そして、ハイライトシーン抽出部１４ｂは、記憶部２２に記憶されたメタデータに含まれるマークの再生位置に基づいて、動画コンテンツの中からハイライトシーンを抽出する。
【０１１８】
図２４に、マーク付与部１７が用いる指標の例を示す。
【０１１９】
画像的特異点の指標は、画像特徴量が前後と著しく異なる点（再生位置）にマークを付与するためのものである。この画像特徴量の例としては、画像内の物体の動きベクトルや、画像内のカラー特徴量などが挙げられる。例えば、マーク付与部１７は、前後のシーンで動きベクトルの差分が閾値を超えることを条件として、マークを付与する。
【０１２０】
音響的特異点は、音響特徴量が前後と著しく異なる点にマークを付与するためのものである。例えば、予め動画コンテンツの区間毎に音響特徴量を算出ておき、マーク付与部１７は、隣り合う区間間の音響特徴量の差分が閾値以上であることを条件として、マークを付与するとしてもよい。
【０１２１】
撮影操作的特異点は、特定の操作を行った点にマークを付与するためのものである。例えば、ズーム操作を行っていれば、撮影者の面白いと感じたであろうという推定が働くことを利用して、マーク付与部１７は、ズーム操作を開始した再生位置にマークを付与する。
【０１２２】
メタデータ的特異点は、特定のメタデータが現れる点にマークを付与するためのものである。メタデータの例としては、動画撮影中の静止画撮影が挙げられる。この場合、マーク付与部１７は、静止画撮影した再生位置にマークを付与する。
【０１２３】
上述のような手法でマーク付与部１７がマークを付与した後は、付与されたマークに基づいて、ハイライトシーン抽出部１４ｂがハイライトシーンを抽出することなる。なお、マーク付与部１９が付与したマークを利用して行う、ハイライトシーン抽出ステップ（Ｓ３２０）については、実施の形態１で説明したものと同様の手法を用いることができるので説明を省略する。また、この後に続く、ハイライトシーン優先度付与ステップ（Ｓ３４０）、ハイライトシーン長調整ステップ（Ｓ３５０）については、実施の形態１で説明したものと同様の手法を用いることができるので説明を省略する。
（実施の形態４）
本実施の形態４では、実施の形態３で述べたマーク付与部の他の形態について説明する。
【０１２４】
図２３の情報処理装置２３０では、マーク付与部１７は、ハイライトシーン抽出部１４ｂに含まれるとしているが、ハイライトシーン抽出部１４ｂから独立した形態でもよい。このような情報処理装置２５０を図２５に示す。
【０１２５】
図２５の情報処理装置２５０は、特に、ユーザ入力受付部１２ａや、マーク付与部１９を備える。
【０１２６】
ユーザ入力受付部１２ａは、リモコン２を介して、ハイライト動画の再生指示などの指示を受け付ける。
【０１２７】
マーク付与部１９は、１つの指標あるいは複数の指標の組み合わせに基づいて動画コンテンツにマークを付与する。この付与の手法はマーク付与部１７で説明したものと同様である。
【０１２８】
このマーク付与部１９がマーク付与する時機も、マーク付与部１７と同様であり、例えば、
（Ａ）記憶部２２内に動画コンテンツが取り込まれると、自動的にマークの付与を行う。
または、
（Ｂ）ハイライト動画再生をユーザから指示されると、自動的にマークの付与を行う。
【０１２９】
実施の形態４によれば、マーク付与とハイライトシーンの抽出とを同時に行う代わりに、先行してマーク付与を行い、付与したマークを後々のハイライトシーンの抽出などの用途に利用することができる。
【０１３０】
例えば、装置のスペックの制約から、自動的なマーク付与の処理に時間を要する場合に有用である。
【０１３１】
なお、マーク付与部１９が付与したマークを利用して行う、ハイライトシーン抽出ステップ（Ｓ３２０）、ハイライトシーン優先度付与ステップ（Ｓ３４０）、ハイライトシーン長調整ステップ（Ｓ３５０）については、実施の形態１で説明したものと同様の手法を用いることができるので説明を省略する。
【０１３２】
なお、実施の形態４では、ハイライトシーン抽出部１４によるハイライトシーンの抽出処理（ハイライト動画作成部１８からの依頼に基づくハイライトシーンの再抽出処理を含む）、およびマーク付与部１９によるマークの付与はそれぞれ独立して行うものとしている。しかしながら、ハイライトシーン抽出部１４およびマーク付与部１９は、いずれも同様のコンテンツ解析処理を行う。そのため、例えば、情報処理装置２５０が図示しないコンテンツ解析部を備えることとし、ハイライトシーン抽出部１４およびマーク付与部１９は、それぞれの処理を行う際に、コンテンツ解析部にコンテンツの解析を依頼し、その結果を用いて、ハイライトシーンの抽出やマークの付与を行うこととしてもよい。
＜補足１＞
以上、実施の形態について説明したが、本発明は上記の内容に限定されず、本発明の目的とそれに関連又は付随する目的を達成するための各種形態においても実施可能であり、例えば、以下であっても構わない。
（１）入力デバイス
各実施の形態では、入力デバイスの例として、リモコン２を用いて説明したが、これに限られない。ユーザがハイライトとして希望する再生位置を検出できるような入力デバイスであれば足り、次のような入力デバイスでもよい。
【０１３３】
例えば、マウスやキーボードのような入力デバイスでもよい。
【０１３４】
また、情報処理装置がタッチパネルを備えている場合は、入力デバイスがタッチペンのようなスタイラス、ユーザの指となることもあり得る。
【０１３５】
さらに、マイクロフォン及び音声認識機能を備える情報処理装置である場合には、音声入力でもよい。あるいは、手のひらなど人体モデルの認識機能を備える情報処理装置である場合には、ジェスチャ入力でもよい。
（２）ハイライトシーンの最適範囲
図３のステップＳ３３０のハイライト動画の長さが最適である状態とは、例えば情報処理装置１０に予め登録されている長さとハイライト動画の長さの差分が一定値以内に収まっているような状態でも良いし、登録されている長さよりも長い、あるいは短い状態でも良い。さらに、登録されている長さの代わりにユーザが入力した長さを用いても良い。
【０１３６】
あるいは、ハイライト動画の長さが最適かどうかをユーザに問い合わせて、ユーザの判断を仰ぐようにしても構わない。
（３）優先度の付与方法
優先度の付与方法としては、図２２に示すようなリモコン２を利用して行ってもよい。すなわち、リモコン２は、最高の優先度を示すボタン１、中程の優先度を示すボタン２及び最低の優先度を示すボタン３を有する。そして、優先度付与部１６は、ユーザ入力受付部１２が受け付けたこれらのボタン１〜３に応じて優先度１〜３を付与するとしてもよい。
（４）集積回路
実施の形態の情報処理装置は、典型的には集積回路であるＬＳＩ（Ｌａｒｇｅ  Ｓｃａｌｅ  Ｉｎｔｅｇｒａｔｉｏｎ）として実現されてよい。各回路を個別に１チップとしてもよいし、全ての回路又は一部の回路を含むように１チップ化されてもよい。ここでは、ＬＳＩとして記載したが、集積度の違いにより、ＩＣ（Ｉｎｔｅｇｒａｔｅｄ  Ｃｉｒｃｕｉｔ）、システムＬＳＩ、スーパＬＳＩ、ウルトラＬＳＩと呼称されることもある。また、集積回路化の手法はＬＳＩに限るものではなく、専用回路又は汎用プロセッサで実現してもよい。ＬＳＩ製造後にプログラム化することが可能なＦＰＧＡ（Ｆｉｅｌｄ  Ｐｒｏｇｒａｍｍａｂｌｅ  Ｇａｔｅ  Ａｒｒａｙ）、ＬＳＩ内部の回路セルの接続や設定を再構成可能なリコンフィギュラブル・プロセッサを利用してもよい。
【０１３７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
（５）記録媒体、プログラム
実施の形態で示した処理をコンピュータ等の各種機器のプロセッサ、及びそのプロセッサに接続された各種回路に実行させるためのプログラムコードからなる制御プログラムを、記録媒体に記録すること、又は各種通信路を介して流通させ頒布することもできる。
【０１３８】
このような記録媒体には、スマートメディア、コンパクトフラッシュ（登録商標）、メモリースティック（登録商標）、ＳＤメモリーカード、マルチメディアカード、ＣＤ−Ｒ／ＲＷ、ＤＶＤ±Ｒ／ＲＷ、ＤＶＤ−ＲＡＭ、ＨＤ−ＤＶＤ、ＢＤ(（Ｂｌｕ−ｒａｙ(登録商標)  Ｄｉｓｃ））等がある。
【０１３９】
流通、頒布された制御プログラムは、プロセッサに読み出され得るメモリ等に格納されることにより利用に供され、そのプロセッサがその制御プログラムを実行することにより実施の形態で示したような各種機能が実現されるようになる。
（６）ハイライトシーンの長さの調整について
実施の形態では、ハイライトシーンの長さの調整は、長さ調整部２０がハイライト抽出部１４に長さを変えたハイライトシーンの再抽出処理を依頼することで行うとしたがこれに限られない。例えば、長さ調整部２０がハイライトシーンの長さの調整を直接行う構成としても構わない。この場合、長さ調整部２０はハイライトシーン抽出部１４が行っていた処理を直接実行する。
【０１４０】
例えば、上述した最初の抽出（Ｓ３２０）と同じアルゴリズムを用いてハイライトシーンの再生区間がより短くなるようパラメータを変更して再抽出を行う第１の手法を採用してもよい。他にも、ハイライトシーン抽出部１４が、最初の抽出（Ｓ３２０）と異なるアルゴリズムを用いてハイライトシーンの再生区間がより短くなるよう再抽出を行う第２の手法を採用してもよい。また、前記ハイライトシーンの再生区間の長さを短くする方法は、これらに限定されるものでもない。
（７）マークの密度などに基づいた優先度の付与について
ハイライトシーンに付与する優先度の高低は、マークが再生時間軸上において集まっているか、あるいはまばらであるかに基づいて決定することができる。
【０１４１】
「まばら」「集まっている」を判断する指標としては、単位時間辺りのマークの密度を指標として用いることができる。もっとも、長い期間で見たときの密度が低くとも、局所的にマークが集中していれば高い優先度とすることがよいときもある。このような、局所的なマークの集中度合いも指標として採用することができる。
【０１４２】
このような観点から優先度を付与する手法としては、次の手法１〜手法３の例が挙げられる。
【０１４３】
・手法１
手法１は、実施の形態１で説明したように１つのハイライトシーン内のマークの密度を元にハイライトシーンの優先度を付与するものである。
【０１４４】
・手法２
手法２は、１つのハイライトシーン内のマークの数をそのハイライトシーンの長さで除することにより、単位時間辺りのマークの数を求め、これを基に、ハイライトシーンの優先度を付与するものである。
【０１４５】
・手法３
手法３は、局所的なマークの集中度合いを利用するものである。つまり、
１つハイライトシーン全体ではなくハイライトシーン内の任意の単位時間あたりのマークの数の最大数を基に、ハイライトシーンの優先度を付与するものである。これによりハイライトシーン全体ではマークの数が少ない場合であっても、任意の単位時間（例えば、１秒）にマークが集中していれば、前記最大数は多くなるので、高い優先度を付与することができる。なお、上で説明に用いた任意の単位時間の１秒は一例でありこれに限られない。
（８）情報処理装置に必要な構成について
実施の形態では、情報処理装置内でハイライト動画を作成するとしたが、このような作成機能は必須ではなく、ハイライト動画の作成を他装置で行うとしてもよい。また、動画コンテンツを情報処理装置内で記憶する機能も必須ではなく、外部装置に記憶された動画コンテンツを利用する形態でも構わない。
【０１４６】
すなわち、図２６に示すように、情報処理装置２６０の概要としては、動画コンテンツについて複数の再生位置を付与するマーク付与部（再生位置を特定する特定部）２６２と、複数の再生位置に基づいてそれぞれ再生位置を１以上含み前記動画コンテンツの区間を示す複数のハイライトシーンを抽出するハイライトシーン抽出部２６４と、抽出されたハイライトシーン毎に、優先度を付与する優先度付与部２６６、を備えていれば足り得る。
（９）優先度の用途について
実施の形態では、付与した優先度をハイライト動画の作成に利用する例を中心に説明したが、これに限られない。
【０１４７】
例えば付与した優先度は、複数の動画コンテンツを一覧表示する画面において、各動画コンテンツの中で優先度が高いハイライトシーンをピックアップして表示することに用いることができる。
【０１４８】
また、動画コンテンツの内容を示すメニュー画面において、優先度毎にハイライトシーンを色分けして表示することにより、ユーザに動画コンテンツの内容を知らせるようにしてもよい。
（１０）実施の形態１〜４や、本補足１の（１）〜（９）で述べた事項は組み合わせて構わない。
＜補足２＞
上で説明した実施の形態は、以下の態様を含むものである。
（１）本実施の形態に係る情報処理装置は動画コンテンツについて、複数の再生位置を特定する特定手段と、特定された複数の再生位置に基づいて、それぞれ再生位置を１以上含み前記動画コンテンツの区間を示す複数のシーンを抽出する抽出手段と、抽出されたシーン毎に、優先度を付与する付与手段と、を備えることを特徴とする。
（２）（１）において、前記付与手段は、前記特定された複数の再生位置を解析して、当該複数の再生位置が再生時間軸上においてまばらであるか、当該複数の再生位置が再生時間軸上において集まっているかを判定し、まばらと判定した再生位置を含むシーンには低い優先度を付与し、集まっていると判定した再生位置を含むシーンには高い優先度を付与するとしても構わない。
（３）（１）において、前記付与手段は、抽出された複数のシーンそれぞれの長さ、及び抽出された複数のシーン同士の再生時間軸上における関係性に基づいて、優先度を付与するとしても構わない。
（４）（１）において、前記付与手段は、抽出された複数のシーンそれぞれの再生位置の数を解析し、１シーンあたりの再生位置の数が多いシーンには高い優先度を付与し、１シーンあたりの再生位置の数が少ないシーンには低い優先度を付与するとしても構わない。
（５）（１）において、前記抽出手段は、前記再生位置前後の音響の特徴量を解析し、解析した音響の特徴量が類似する区間を示すシーンを抽出するとしても構わない。
【０１４９】
この構成によれば、意味のあるまとまりとして期待できるシーンを抽出することに寄与する。
（６）（１）において、さらに、各シーンに付与された優先度に基づいて１以上のシーンの長さを調整し、調整後に、各シーンをつなぎ合わせてハイライト動画を作成する作成手段、を備えるとしても構わない。
（７）（６）において、前記作成手段は、抽出された複数のシーンのすべてをつなぎ合わせた場合のハイライト動画の長さが所定範囲内に収まっているかどうかを判定し、前記所定範囲の上限値より長いと判定したときには、優先度の低いシーンの長さをより短く調整し、前記所定範囲の下限値よりも短いと判定したときには、優先度の高いシーンの長さをより長く調整するとしても構わない。
【０１５０】
この構成によれば、作成したハイライト動画の長さを、所定範囲内に収めることができる。
（８）本実施の形態に係るハイライト動画作成方法は、動画コンテンツについて、複数の再生位置を特定する特定ステップと、特定された複数の再生位置に基づいて、それぞれ再生位置を１以上含み前記動画コンテンツの区間を示す複数のシーンを抽出する抽出ステップと、抽出されたシーン毎に、優先度を付与する付与ステップと、を含む。
（９）本実施の形態に係るプログラムは、動画コンテンツを記憶する情報処理装置に優先度付与処理を実行させるプログラムであって、前記優先度付与処理は、動画コンテンツについて、複数の再生位置を特定する特定ステップと、特定された複数の再生位置に基づいて、それぞれ再生位置を１以上含み前記動画コンテンツの区間を示す複数のシーンを抽出する抽出ステップと、抽出されたシーン毎に、優先度を付与する付与ステップと、の各ステップを含む。
（１０）本実施の形態に係る集積回路は、動画コンテンツについて、複数の再生位置を特定する特定手段と、特定された複数の再生位置に基づいて、それぞれ再生位置を１以上含み前記動画コンテンツの区間を示す複数のシーンを抽出する抽出手段と、抽出されたシーン毎に、優先度を付与する付与手段と、を備える。
【産業上の利用可能性】
【０１５１】
本発明に係る情報処理装置は、ユーザの好みに応じたハイライト動画を作成する機能を有しているため、動画コンテンツを視聴するような情報処理装置などとして有用である。
【符号の説明】
【０１５２】
２  リモコン
４  ディスプレイ
１０，１１，２３０，２５０，２６０  情報処理装置
１２  ユーザ入力受付部
１４，１４ａ，１４ｂ，２６４  ハイライトシーン抽出部
１５  音響安定度解析部
１６，２６６  優先度付与部
１７，１９  マーク付与部
１８  ハイライト動画作成部
２０  長さ調整部
２２  記憶部
２４  管理部
２６  デコード部
２８  表示制御部
２６２  マーク付与部（特定部）
【図１】
2012160771.tif 000003
【図２】
2012160771.tif 000004
【図３】
2012160771.tif 000005
【図４】
2012160771.tif 000006
【図５】
2012160771.tif 000007
【図６】
2012160771.tif 000008
【図７】
2012160771.tif 000009
【図８】
2012160771.tif 000010
【図９】
2012160771.tif 000011
【図１０】
2012160771.tif 000012
【図１１】
2012160771.tif 000013
【図１２】
2012160771.tif 000014
【図１３】
2012160771.tif 000015
【図１４】
2012160771.tif 000016
【図１５】
2012160771.tif 000017
【図１６】
2012160771.tif 000018
【図１７】
2012160771.tif 000019
【図１８】
2012160771.tif 000020
【図１９】
2012160771.tif 000021
【図２０】
2012160771.tif 000022
【図２１】
2012160771.tif 000023
【図２２】
2012160771.tif 000024
【図２３】
2012160771.tif 000025
【図２４】
2012160771.tif 000026
【図２５】
2012160771.tif 000027
【図２６】
2012160771.tif 000028
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
動画コンテンツについて、複数の再生位置を特定する特定手段と、
特定された複数の再生位置に基づいて、それぞれ再生位置を１以上含み前記動画コンテンツの区間を示す複数のシーンを抽出する抽出手段と、
抽出されたシーン毎に、優先度を付与する付与手段と、
各シーンに付与された優先度に基づいて１以上のシーンの長さを調整する調整手段と、
を備えることを特徴とする情報処理装置。
【請求項２】
前記付与手段は、前記特定された複数の再生位置を解析して、当該複数の再生位置が再生時間軸上においてまばらであるか、当該複数の再生位置が再生時間軸上において集まっているかを判定し、
まばらと判定した再生位置を含むシーンには低い優先度を付与し、
集まっていると判定した再生位置を含むシーンには高い優先度を付与する
ことを特徴とする請求項１に記載の情報処理装置。
【請求項３】
前記付与手段は、
抽出された複数のシーンそれぞれの長さ、及び抽出された複数のシーン同士の再生時間軸上における関係性に基づいて、優先度を付与する
ことを特徴とする請求項１に記載の情報処理装置。
【請求項４】
前記付与手段は、抽出された複数のシーンそれぞれの再生位置の数を解析し、
１シーンあたりの再生位置の数が多いシーンには高い優先度を付与し、
１シーンあたりの再生位置の数が少ないシーンには低い優先度を付与する
ことを特徴とする請求項１に記載の情報処理装置。
【請求項５】
前記抽出手段は、前記再生位置前後の音響の特徴量を解析し、解析した音響の特徴量が類似する区間を示すシーンを抽出する
ことを特徴とする請求項１に記載の情報処理装置。
【請求項６】
さらに、前記調整手段による１以上のシーンの長さ調整後に、各シーンをつなぎ合わせてハイライト動画を作成する作成手段、
を備えることを特徴とする請求項１に記載の情報処理装置。
【請求項７】
前記作成手段は、抽出された複数のシーンのすべてをつなぎ合わせた場合のハイライト動画の長さが所定範囲内に収まっているかどうかを判定し、
前記所定範囲の上限値より長いと判定したときには、優先度の低いシーンの長さをより短く調整し、
前記所定範囲の下限値よりも短いと判定したときには、優先度の高いシーンの長さをより長く調整する
ことを特徴とする請求項６に記載の情報処理装置。
【請求項８】
動画コンテンツについて、複数の再生位置を特定する特定ステップと、
特定された複数の再生位置に基づいて、それぞれ再生位置を１以上含み前記動画コンテンツの区間を示す複数のシーンを抽出する抽出ステップと、
抽出されたシーン毎に、優先度を付与する付与ステップと、
各シーンに付与された優先度に基づいて１以上のシーンの長さを調整する調整ステップと、
を含むハイライト動画作成方法。
【請求項９】
動画コンテンツを記憶する情報処理装置に優先度付与処理を実行させるプログラムであって、
前記優先度付与処理は、
動画コンテンツについて、複数の再生位置を特定する特定ステップと、
特定された複数の再生位置に基づいて、それぞれ再生位置を１以上含み前記動画コンテンツの区間を示す複数のシーンを抽出する抽出ステップと、
抽出されたシーン毎に、優先度を付与する付与ステップと、
各シーンに付与された優先度に基づいて１以上のシーンの長さを調整する調整ステップと、
の各ステップを含むことを特徴とするプログラム。
【請求項１０】
動画コンテンツについて、複数の再生位置を特定する特定手段と、
特定された複数の再生位置に基づいて、それぞれ再生位置を１以上含み前記動画コンテンツの区間を示す複数のシーンを抽出する抽出手段と、
抽出されたシーン毎に、優先度を付与する付与手段と、
各シーンに付与された優先度に基づいて１以上のシーンの長さを調整する調整手段と、
を備えることを特徴とする集積回路。
【手続補正書】
【提出日】平成25年1月16日(2013.1.16)
【手続補正１】
【補正対象書類名】明細書
【補正対象項目名】００８３
【補正方法】変更
【補正の内容】
【００８３】
１つのハイライトシーンを長くすると、長さ調整部２０は、ハイライト動画の長さと設定時間の差分が予め設定された閾値以内であるかどうかを確認する（Ｓ１１５０）。閾値以内であれば（Ｓ１１５０：Ｙｅｓ）ハイライトシーン長調整ステップを完了する。一方、閾値以上であれば（Ｓ１１５０：Ｎｏ）、ステップＳ１１４０に戻り、次に優先度の高いハイライトシーンの再生区間の長さを長くする。 
【手続補正２】
【補正対象書類名】明細書
【補正対象項目名】００９４
【補正方法】変更
【補正の内容】
【００９４】
次に、導出した差分のいずれかが、予め設定された閾値よりも大きいかどうかを確認する（Ｓ１４４０）。もし、小さい場合はｎ＝ｎ＋ａとして、ステップＳ１４１０の処理から繰り返す（Ｓ１４６０）。もし、大きい場合は、マークの前後ｎ−ａ秒の区間をシーンとして抽出する（Ｓ１４５０）。
【国際調査報告】
2012160771.tif 000029
2012160771.tif 000030
2012160771.tif 000031
2012160771.tif 000032
2012160771.tif 000033
2012160771.tif 000034
2012160771.tif 000035
2012160771.tif 000036